【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
面関節で使用するための間置デバイスであって、該間置デバイスは、該面関節の関節面の間に挿入されるように構成される本体を備え、該本体は、第１および第２の関節面と、第１および第２の端部とを有し、該第１の関節面は、該デバイスが該面関節の関節面の間に挿入されると、対向する関節面に対する動作に抵抗するように構成される輪郭を有し、該第２の関節面は、該デバイスが面関節の関節面の間に挿入されると、別の対向する関節面に対する動作を容易にするように構成される、間置デバイス。
【請求項２】
前記第１の端部は、前記デバイスの中間部分に対して拡大される、請求項１に記載の間置デバイス。
【請求項３】
前記第１の端部は、前記面関節の少なくとも１つの表面に係合するように構成される縁を形成し、それによって、該面関節に対する前記デバイスの動作に抵抗する、請求項２に記載の間置デバイス。
【請求項４】
前記第１の端部は、前記間置デバイスが前記面関節に埋め込まれると、関節間位置に位置するように構成される、請求項２に記載の間置デバイス。
【請求項５】
前記第１の端部は、前記間置デバイスが前記面関節に埋め込まれると、関節外位置に位置するように構成される、請求項２に記載の間置デバイス。
【請求項６】
前記第１の関節面の少なくとも一部分の前記輪郭は、前記対向する関節面の対応する輪郭に実質的に合致する、請求項１に記載の間置デバイス。
【請求項７】
前記第１の関節面の少なくとも一部分は、前記対向する関節面の対応する部分の陰型を実質的に形成する、請求項１に記載の間置デバイス。
【請求項８】
前記第１の関節面は、前記面関節に埋め込まれると、前記デバイスを固定するように構成される、請求項１に記載の間置デバイス。
【請求項９】
前記第１の関節面の少なくとも一部分は、前記デバイスが前記面関節に埋め込まれると、前記対向する関節面の対応する部分と相互に噛合するように構成される、請求項１に記載の間置デバイス。
【請求項１０】
前記第２の関節面は、実質的に平滑である、請求項１に記載の間置デバイス。
【請求項１１】
前記第２の端部は、前記デバイスの中間部分に対して拡大され、前記面関節の第１の表面と第２の表面との間の空間を拡大するよう構成される、請求項１に記載の間置デバイス。
【請求項１２】
面関節に前記デバイスを固定するように構成される、取付機構をさらに備える、請求項１に記載の間置デバイス。
【請求項１３】
前記取付機構は、ピン、フィン、またはネジのうちの少なくとも１つである、請求項１２に記載の間置デバイス。
【請求項１４】
面関節で使用するための患者特有のインプラントであって、該インプラントは、該面関節の関節面の間に挿入されるように構成される本体を備え、該本体は、第１および第２の関節面を有し、該第１の関節面の少なくとも一部分は、該面関節の第１の関節面の対応する部分に実質的に合致し、該第２の関節面は、該インプラントが該面関節の第１および第２の関節面の間に配置されると、該面関節の第２の関節面に係合し、かつ該面関節の第２の関節面に対して動くように構成される、実質的に平滑な部分を有する、患者特有のインプラント。
【請求項１５】
第１の端部と、中間部分とをさらに備え、該第１の端部は、前記デバイスの中間部分に対して拡大される、請求項１４に記載のインプラント。
【請求項１６】
前記第１の端部は、前記面関節の少なくとも一部分に係合するように構成されるキャップを形成し、それによって、該面関節に対する前記デバイスの動作に抵抗する、請求項１５に記載の間置デバイス。
【請求項１７】
前記第１の端部は、前記間置デバイスが前記面関節に埋め込まれると、関節間位置に位置するように構成される、請求項１５に記載の間置デバイス。
【請求項１８】
前記第１の端部は、前記間置デバイスが前記面関節に埋め込まれると、関節外位置に位置するように構成される、請求項１５に記載の間置デバイス。
【請求項１９】
前記第１の関節面は、前記面関節に埋め込まれると、前記デバイスを固定するように構成される、請求項１４に記載の間置デバイス。
【請求項２０】
第１および第２の端部をさらに備え、該第１および第２の端部は各々、前記デバイスの中間部分に対して拡大される、請求項１４に記載の間置デバイス。
【請求項２１】
前記デバイスを面関節に固定するように構成される、取付機構をさらに備える、請求項１４に記載の間置デバイス。
【請求項２２】
前記取付機構は、ピン、フィン、またはネジのうちの少なくとも１つである、請求項２１に記載の間置デバイス。
【請求項２３】
脊椎の一部分を減圧する際に使用するための間置デバイスであって、該間置デバイスは、
面関節の関節面の間に挿入されるように構成される本体であって、第１および第２の関節面を有する、本体と、
第１の端部および中間部分であって、該第１の関節面は、該デバイスが適所にあると、対向する関節面に対して動くように構成され、該第１の端部は、該中間部分の対応する厚さより大きい、該第１の関節面と該第２の関節面との間の厚さを有する、第１の端部および中間部分と
を備え、該第１の端部は、該間置デバイスが埋め込まれると、少なくとも１つの方向への該面関節に対する該本体の動作に抵抗するように構成される、間置デバイス。
【請求項２４】
前記第２の関節面の少なくとも一部分は、第２の関節面の対応する輪郭に実質的に合致する輪郭を含む、請求項２３に記載の間置デバイス。
【請求項２５】
前記第２の関節面の少なくとも一部分は、第２の関節面の対応する部分の陰型を実質的に形成する、請求項２３に記載の間置デバイス。
【請求項２６】
前記第２の関節面は、前記面関節に埋め込まれると、前記デバイスを固定するように構成される、請求項２３に記載の間置デバイス。
【請求項２７】
前記第２の関節面の少なくとも一部分は、前記デバイスが前記面関節に埋め込まれると、第２の関節面の対応する部分と相互に噛合するように構成される、請求項２３に記載の間置デバイス。
【請求項２８】
前記第１の関節面は、実質的に平滑である、請求項２３に記載の間置デバイス。
【請求項２９】
脊椎の一部分に対する圧力を軽減する際に使用するためのデバイスであって、該デバイスは、面関節の関節面の間に挿入されるように構成される本体を備え、該本体は、第１および第２の関節面と、端部とを有し、該第１の関節面は、該デバイスが埋め込まれると、該面関節の対応する第１の表面に係合するように構成され、該第２の関節面は、該デバイスが埋め込まれると、該面関節の対応する第２の表面に係合するように構成され、該端部は、該第１の表面と該第２の表面との間の方向で、該デバイスの隣接する部分より比較的厚く、該端部は、該デバイスが該面関節に埋め込まれると、該面関節の該第１の表面と該第２の表面との間の間隔を増加させるように構成される、デバイス。
【請求項３０】
脊椎の一部分を減圧するためのシステムであって、該システムは、インプラントを備え、該インプラントは、関節面の間の空間を拡張するように、面関節の第１の関節面と第２の関節面との間に挿入されるように構成され、
該インプラントは、該第１および第２の表面が一定の期間にわたって拡張位置に留まるように、該面関節の中で安定させられるように構成される、システム。
【請求項３１】
前記インプラントは、前記脊椎の隣接する間質腔に対する圧力を低減するように構成される、請求項３０に記載のシステム。
【請求項３２】
前記インプラントは、前記脊椎に対する圧力に関連する痛みを低減するように構成される、請求項３０に記載のシステム。
【手続補正２】
【補正対象書類名】明細書
【補正対象項目名】００３５
【補正方法】変更
【補正の内容】
【００３５】
代替の実施形態は、以下の特色のうちの１つ以上を含んでもよい。脊椎の隣接する間質腔に対する圧力を低減させことができる。脊椎に対する圧力に関連する痛みは、その後、低減させることができる。
本発明は、例えば、以下も提供する。
（項目１）
面関節で使用するための間置デバイスであって、
該面関節の関節面の間に挿入されるように構成される本体であって、該本体は、第１および第２の関節面と、第１および第２の端部とを有し、該第１の関節面は、該デバイスが該面関節の関節面の間に挿入されると、対向する関節面に対する動作に抵抗するように構成される輪郭を有し、該第２の関節面は、該デバイスが面関節の関節面の間に挿入されると、別の対向する関節面に対する動作を容易にするように構成される、本体を備える、間置デバイス。
（項目２）
前記第１の端部は、前記デバイスの中間部分に対して拡大される、項目１に記載の間置デバイス。
（項目３）
前記第１の端部は、前記面関節の少なくとも１つの表面に係合するように構成される縁を形成し、それによって、該面関節に対する前記デバイスの動作に抵抗する、項目２に記載の間置デバイス。
（項目４）
前記第１の端部は、前記間置デバイスが前記面関節に埋め込まれると、関節間位置に位置するように構成される、項目２に記載の間置デバイス。
（項目５）
前記第１の端部は、前記間置デバイスが前記面関節に埋め込まれると、関節外位置に位置するように構成される、項目２に記載の間置デバイス。
（項目６）
前記第１の関節面の少なくとも一部分の前記輪郭は、前記対向する関節面の対応する輪郭に実質的に合致する、項目１に記載の間置デバイス。
（項目７）
前記第１の関節面の少なくとも一部分は、前記対向する関節面の対応する部分の陰型を実質的に形成する、項目１に記載の間置デバイス。
（項目８）
前記第１の関節面は、前記面関節に埋め込まれると、前記デバイスを固定するように構成される、項目１に記載の間置デバイス。
（項目９）
前記第１の関節面の少なくとも一部分は、前記デバイスが前記面関節に埋め込まれると、前記対向する関節面の対応する部分と相互に噛合するように構成される、項目１に記載の間置デバイス。
（項目１０）
前記第２の関節面は、実質的に平滑である、項目１に記載の間置デバイス。
（項目１１）
前記第２の端部は、前記デバイスの中間部分に対して拡大され、前記面関節の第１の表面と第２の表面との間の空間を拡大するよう構成される、項目１に記載の間置デバイス。
（項目１２）
面関節に前記デバイスを固定するように構成される、取付機構をさらに備える、項目１に記載の間置デバイス。
（項目１３）
前記取付機構は、ピン、フィン、またはネジのうちの少なくとも１つである、項目１２に記載の間置デバイス。
（項目１４）
面関節で使用するための患者特有のインプラントであって、
該面関節の関節面の間に挿入されるように構成される本体であって、該本体は、第１および第２の関節面を有し、該第１の関節面の少なくとも一部分は、該面関節の第１の関節面の対応する部分に実質的に合致し、該第２の関節面は、該インプラントが該面関節の第１および第２の関節面の間に配置されると、該面関節の第２の関節面に係合し、かつ該面関節の第２の関節面に対して動くように構成される、実質的に平滑な部分を有する、本体を備える、患者特有のインプラント。
（項目１５）
第１の端部と、中間部分とをさらに備え、該第１の端部は、前記デバイスの中間部分に対して拡大される、項目１４に記載のインプラント。
（項目１６）
前記第１の端部は、前記面関節の少なくとも一部分に係合するように構成されるキャップを形成し、それによって、該面関節に対する前記デバイスの動作に抵抗する、項目１５に記載の間置デバイス。
（項目１７）
前記第１の端部は、前記間置デバイスが前記面関節に埋め込まれると、関節間位置に位置するように構成される、項目１５に記載の間置デバイス。
（項目１８）
前記第１の端部は、前記間置デバイスが前記面関節に埋め込まれると、関節外位置に位置するように構成される、項目１５に記載の間置デバイス。
（項目１９）
前記第１の関節面は、前記面関節に埋め込まれると、前記デバイスを固定するように構成される、項目１４に記載の間置デバイス。
（項目２０）
第１および第２の端部をさらに備え、該第１および第２の端部は各々、前記デバイスの中間部分に対して拡大される、項目１４に記載の間置デバイス。
（項目２１）
前記デバイスを面関節に固定するように構成される、取付機構をさらに備える、項目１４に記載の間置デバイス。
（項目２２）
前記取付機構は、ピン、フィン、またはネジのうちの少なくとも１つである、項目２１に記載の間置デバイス。
（項目２３）
脊椎の一部分を減圧する際に使用するための間置デバイスであって、
面関節の関節面の間に挿入されるように構成される本体であって、第１および第２の関節面を有する、本体と、
第１の端部および中間部分であって、該第１の関節面は、該デバイスが適所にあると、対向する関節面に対して動くように構成され、該第１の端部は、該中間部分の対応する厚さより大きい、該第１の関節面と該第２の関節面との間の厚さを有する、第１の端部および中間部分と
を備え、該第１の端部は、該間置デバイスが埋め込まれると、少なくとも１つの方向への該面関節に対する該本体の動作に抵抗するように構成される、間置デバイス。
（項目２４）
前記第２の関節面の少なくとも一部分は、第２の関節面の対応する輪郭に実質的に合致する輪郭を含む、項目２３に記載の間置デバイス。
（項目２５）
前記第２の関節面の少なくとも一部分は、第２の関節面の対応する部分の陰型を実質的に形成する、項目２３に記載の間置デバイス。
（項目２６）
前記第２の関節面は、前記面関節に埋め込まれると、前記デバイスを固定するように構成される、項目２３に記載の間置デバイス。
（項目２７）
前記第２の関節面の少なくとも一部分は、前記デバイスが前記面関節に埋め込まれると、第２の関節面の対応する部分と相互に噛合するように構成される、項目２３に記載の間置デバイス。
（項目２８）
前記第１の関節面は、実質的に平滑である、項目２３に記載の間置デバイス。
（項目２９）
脊椎の一部分に対する圧力を軽減する際に使用するためのデバイスであって、
面関節の関節面の間に挿入されるように構成される本体であって、該本体は、第１および第２の関節面と、端部とを有し、該第１の関節面は、該デバイスが埋め込まれると、該面関節の対応する第１の表面に係合するように構成され、該第２の関節面は、該デバイスが埋め込まれると、該面関節の対応する第２の表面に係合するように構成され、該端部は、該第１の表面と該第２の表面との間の方向で、該デバイスの隣接する部分より比較的厚い、本体を備え、
該端部は、該デバイスが該面関節に埋め込まれると、該面関節の該第１の表面と該第２の表面との間の間隔を増加させるように構成される、デバイス。
（項目３０）
脊椎の一部分を減圧するための方法であって、
関節面の間の空間を拡張するように、面関節の第１の関節面と第２の関節面との間にインプラントを挿入することと、
該第１および第２の表面が一定の期間にわたって拡張位置に留まるように、該インプラントを該面関節の中で安定させることと
を含み、該脊椎の該一部分は、該関節面の間の該拡張された空間の結果として減圧する、
方法。
（項目３１）
前記脊椎の隣接する間質腔に対する圧力は、低減される、項目３０に記載の方法。
（項目３２）
前記脊椎に対する圧力に関連する痛みは、その後、低減される、項目３０に記載の方法。